(57)【要約】【課題】煙が多い時、風船では膨張させた風船、エアバツクを作るだけであるから、どうしても煙が通過し煙りを完全に遮断できないという問題があった【解決手段】昇降路内の不動部位と乗りかごとつり合いおもりの動作部位に分け、防火戸取付枠を不動部位と動作部位に分けて設けて、乗りかごとつり合いおもりを上下動可能とし、火災の発生による煙感知器が作動すると制御回路で乗りかごを中間階に運転休止させるためにスイツチとカムを当接させるものに、第２のスイツチとカムの当接することにより、反転運転させたつり合いおもりの運転休止することにより電磁石を作動可能にし、乗りかご回りの防火戸のレベルを合わせることにより、後に、電磁石を作動させて、不動部位と動作部位の隙間を、起立転倒式の防火戸を転倒させ密閉封止、乗りかご、つり合いおもり回りを完全に密閉封止後、電磁弁を制御可能にし、電磁弁を作動させて、泡放射ノズルから泡を噴出させ、各階出入口の隙間を煙密閉封止させる構成である。【選択図】図２
2004067383.tif 000002
【特許請求の範囲】
【請求項１】
昇降路内の不動部位と乗りかごとつり合いおもりの動作部位とに分け、防火戸取付枠を不動部位と動作部位に分けて設けて、乗りかごとつり合いおもりを上下動可能にし、火災の発生による煙感知器が作動すると制御回路による乗りかごを中間階に運転休止させるためにスイツチにカムを当接させるものに、第２のスイツチとカムを当接することにより、反転運転させたつり合いおもりの運転休止により電磁石を制御可能にし、乗りかご回りの防火戸のレベルを合わせることになり、後に、電磁石が作動し、乗りかご回りの不動部位の枠上に収納し設けた左右前後の防火戸と、乗りかごの動作部位の枠上に収納し設けた、左右の防火戸のそれぞれ起立転倒式の防火戸を転倒させることにより、不動部位の枠上から動作部位の枠上へ、動作部位の枠上から不動部位の枠上へと転倒させて密閉封止、当該防火戸により不動部位と動作部位の隙間を密閉封止させ、乗りかごのロープ防火壁を据付け時、取着でき、乗りかごのロープ回りをロープ防火壁で密閉封止、当該ロープ防火壁の両側端に転倒させて突出させる如くした両転倒レールガイド封止部材を設け、電磁石の作動により両転倒レールガイド封止部材を転倒させて、両レールにレールガイドを面当てさせて乗りかご回りを密閉封止、つり合いおもり回りで、不動部位の枠上に収納し設けた、左右の起立転倒式の防火戸を、電磁石の作動により防火戸を転倒させて不動部位と動作部位の隙間を密閉、その転倒した左右の防火戸の先端の両側に突出したレールガイド封止部材で、両レールに面てさせて、レール回りを密閉封止して、つり合いおもり回りを不動部位と動作部位の隙間を密閉封止させ、完全密閉封止後、電磁弁を制御可能にし、電磁弁を作動させることにより泡放射ノズルとパイプシャワーから泡を噴出させ昇降路内の各階出入口の隙間を煙密閉封止させるよう構成した昇降路煙密閉封止装置。
【発明の詳細な説明】
【０００１】
【発明の属する技術分野】
本発明は、ビル火災において、昇降路に流入した煙が上層階へ拡散することを防止するに好適な昇降路煙密閉封止装置。
【０００２】
【従来の技術】
一般に、ビル火災が発生すると、昇降路内に煙が流入し、昇降路が煙突の作用をして、火災が延焼することがある。
【０００３】
そこで、たとえば、特開平０９−３１５７１７号公報に開示しているように、昇降路の出入口の近傍に煙感知器を設け、この煙感知器が動作したとき、昇降路の中間階に常時は収納し、空気を圧入することにより、風船形に膨張するエアバツクを設け、エアバツクを膨張させ、昇降路を密閉させる手段の設けたものが提案されている。
【０００４】
【発明が解決しようとする課題】
上記従来技術において、煙が多い時、風船では膨張させた風船、エアバツクを作るだけで、どうしても煙が通過し煙を完全に遮断できないという問題があった
【０００５】
本発明は上記の欠点に鑑みて、煙の量が多くても、この煙が上方へ流入することを阻止することができる昇降路煙密閉封止装置を提供するものである。
【０００６】
【課題を解決するための手段】
この発明の目的は、昇降路内の不動部位と乗りかごとつり合いおもりの動作部位とに分け、防火戸取付枠を不動部位と動作部位に分けて設けて、乗りかごとつり合いおもりを上下動可能にし、火災の発生による煙感知器が作動すると制御回路により乗りかごを中間階に運転休止させるためにスイツチにカムをさせるものに、第２のスイツチとカムが当接することにより、反転運転させたつり合いおもりの運転休止により防火戸制御回路を制御可能にし、運転休止した乗りかご回りの防火戸のレベルを合わせ、後に、電磁石の作動により、当該防火戸取付枠上から枠へ転倒させ、それぞれ防火戸により、不動部位と動作部位の隙間を密閉封止、完全に密閉封止後、電磁弁を制御を可能にし、電磁弁作動することにより泡放射ノズルから泡を噴出させ各階出入口の隙間を煙密閉封止させ、前記昇降路を密閉封止させる手段を備えて達成される。
【０００７】
本発明によれば、煙感知器が動作すると乗りかごが中間階で運転休止し、第２のスイツチとカムの当接することにより、反転運転させた、つり合いおもりの運転休止により電磁石を作動可能にし、乗りかごの左右の防火戸のレベルを合わせることにより、電磁石の作動により、左右の防火戸が転倒することにより、それぞれ左右の防火戸により、乗りかごとつり合いおもり回りの不動部位と動作部位の隙間を密閉封止、昇降路を密閉封止後、電磁弁の制御を可能にし、電磁弁を作動させることにより泡放射ノズルから泡を噴出することにより、各階出入口の隙間を煙密閉封止する。したがつて、煙は昇降路内へ流入しても、上層階へ拡散しないので、火災の延焼を防止することができる。
【実施例】
実施例について図面を参照して説明すると、１は、乗りかご３が中間階で下方に、つり合いおもり４を上方に位置させた防火戸である。
昇降路内の不動部分位置と乗かご３とつり合いおもり４の動作部分位置とに分けたところに特徴が有り、今後は不動部分位置を不動部位と、又、動作部分位置を動作部位とする。防火戸取付枠を不動部位と動作部位に分けて設けることにより、乗りかごとつり合いおもりを上下動可能にしている。
第３図から解るように動作部位の乗かご３のレール５，５の不動部位、左側にコ字形状の防火戸取付枠７を設け、右側にはコ字形状の防火戸取付枠８を設け、該枠７、８の前一部は建物床内に設け、四角形状の防火戸取付枠１１を構成し、また、動作部位のつり合いおもり４のレール６，６の不動部位、左側にコ字形状の防火戸取付枠９を設け、右側にはコ字形状の防火戸取付枠１０を設けて、四角形状の防火戸取付枠１２を構成している。
左側を壁に取着した防火壁１３、６２及び防火壁２を介して、四角形状の取付枠１１取着し、四角形状の防火戸取付枠１１，１２を取着し、取付枠１２の右側を壁に、そして防火壁１４，１５で壁に取着するようして昇降路内の不動部位を完全に密閉封止構造としたものである。
封止構造は第４図において乗りかご３回りロープ３４に四角形状のロープ防火壁３２により対処するものと、図４におけるガバナロープ３６に対するもので、先ず、第４図、第５図の中間階に位置する乗りかご３のロープ防火壁３２は、レール５，５に対して四角形状のロープ防火壁３２で構成し、防火戸取付枠１７，１７を前後に固着し設け、第１５図で解るように乗りかご３回りの動作部位内に防火戸取付枠２１，２１設けるために、防火戸取付枠２２，２２を設けて、乗りかご３のロープ防火壁３２の前方に四角形状の防火戸取付枠４６を設け、ロープ防火壁３２の後方に四角形状の防火戸取付枠４７を設け、前後方の枠４６、４７上の中央部には防火戸３８，３９を収納し設けて、電磁石２８の作動により、枠１７，２２、２１上に転倒した防火戸３８，３９により当該枠４６，４７の中央部を密閉封止し、当該右方の防火戸３７，３７のそれぞれは動作部位の枠上から不動部位に設けた防火戸取付枠８，８へと転倒、閉鎖せしめて動作部位と不動部位の隙間を密閉封止するものであり、乗りかご３の左方においては、昇降路内の不動部位の防火戸取付枠７，７の上に防火戸４０，４１を収納し設け、それぞれ前方に防火戸４０を、後方に防火戸４１が転倒、閉鎖して、不動部位の枠上から動作部位の枠１７、２２、２１上に転倒、閉鎖し、不動部位と動作部位の隙間を密閉封止させる。乗りかご３回りについては第２１図を参照されたい。
第１５図で解るように昇降路内の不動部位の防火戸取付枠１１上に、収納し設けられた、乗りかご３の前方に防火戸４２を、そして後方には防火戸４３を設け、第１４図で示す電磁石２８、２８のロツドで支えられた起立転倒式の防火戸４２，４３は電磁石２８，２８の作動により、支えを無くして回転軸２６を軸として、それぞれ転倒し、乗りかご３の前方の防火戸取付枠４６の枠２１上に防火戸４２が転倒閉鎖せしめ、後方の防火戸取付枠４７の枠２１上に防火戸４３が転倒、閉鎖させて不動部位と動作部位の隙間を密閉封止させるものである。
第１５図で解るように防火戸取付枠１７，１７と一体のロープ防火壁３２の両側端に設けた突出させる構成とした転倒レールガイド封止部材４５が収納され、第１２図で示すのは、常時は起立状態の回転軸２６で回動自在に枢着された転倒レールガイド封止部材４５で、電磁石２８のロツドにより起立状態に保持され、電磁石２８が作動すると、支えを無くして回転軸２６を軸として転倒し、転倒レールガイド封止部材４５で、そのレールガイド４４で押圧せしめて、両レール５，５に面当てさせて、両レール５，５回りの不動部位と動作部位の隙間を密閉封止させたものである。
第６図で解るように、当該ロープ防火壁３２と前後の防火戸取付枠４６，４７による四角形状にした防火戸取付枠４６，４７の下端には、取付ブラケツト２５，２５を取着して、ロープ防火壁３２と四角形状の防火戸取付枠４６，４７を取付ブラケツト２５，２５で、乗りかご３に取着せしめ、乗りかご３と一体的移動動作する構成にしている。
したがつて、不動部位の四角形状の防火戸取付枠１１上の起立転倒式の防火戸４０，４１、４２、４３と、乗りかご３のロープ防火壁３２と当該四角形状の防火戸取付枠４６，４７上の起立転倒式の防火戸３７，３７とのレベルを合わせることにより、起立転倒式の防火戸４０，４１、４２、４３を防火戸取付枠４６，４７上に、転倒、閉鎖させ、当該防火戸３７，３７を防火戸取付枠１１上に，転倒、閉鎖させて、乗りかご３回りを密閉封止することができるものである。
そして、第８図、第９図及び第１０図はロープ防火壁３２に関わり、乗りかご３とつり合いおもり４を懸架した据え付け工事中のロープ３４に組み付け出来るよう構成し、図１０の如く三角形状で斜面にロープ用の半円穴３０を３箇所を対象に設けたロープソケツト３５として２枚を組み合せるようして、図８の如くロープ防火壁３２内にロープ３４をロープソケツト３５で挟み込み組み付け、ロープ防火壁３２内にロープソケツト３５を収納、図９の如くロープ押え板２４により組立てる構成とし、ロープソケツト３５の材質は温度耐性ゴム材、シリコン、金属ブラシ等軽量形金属合成の厚板ゴム材で構成したものである。
第１５図に示すように、当該起立転倒式の防火戸３７、３８、３９、４０，４１、４２、４３は開閉自在で、自重により転倒する構造になつており、９０°開閉可能で電磁石２８で起立させられた状態にあり、電磁石２８は枠８にそれぞれ取付ブラケットにより取り付けられている。
防火戸の開放時には電磁石２８のロツドに密着し起立、防火戸の閉鎖時に電磁石２８の起動によりロツドが引っ込む構造であるから、支えを無くした防火戸は自重により転倒、密閉封止するものである。
第１３図、第１５図から解るように起立転倒式の防火戸３７，３８、３９、４０．４１，４２、４３それぞれ一端の左側、右側には回転軸２６、２６が突設してあり、回転軸２６はこの回転軸に対称位置にある枠１７，２１及び枠７，８内に設けた軸受に軸支され、したがつて防火戸は、この回転軸２６を軸とし、第４図、第１３図に示す現在位置から回転軸２６を軸として、現在位置から防火戸を９０°回転させて、第５図に示すよう防火戸を閉鎖状態にする。
第２１図から解るように防火戸３７，３８，３９，４０，４１，４２，４３，の先端の中央部には施錠装置の一部である鍵部２７が突設してある。鍵部２７は防火戸を閉鎖したときに、防火戸取付枠２２枠内に設けてある鍵受部３３と嵌合可能にし、防火戸３７，３７は枠８，８の鍵受部３３と勘合可能にしている。
次に、密閉封止構造が、第４図、第１５図のガバナロープ３６に対するもので、乗りかご３の中央からピツチＰで、動作部位のガバナロープ３６が位置し、ガバナロープ３６に対して、防火戸４０に、左側からピツチＰで第７図の如く動作部位のガバナロープの位置に、ロープ穴３１，３１を設け、当該防火戸４０と、そのロープソケツト２９に割り込み溝３１ａ、３１ａピツチＰで、ロープ穴３１、３１を設けたことにより、転倒して閉鎖する起立転倒式の防火戸に、挟み込まれて、当該ガバナロープ３６を包含して、ガバナロープ３６回りの隙間を密閉封止し、また、ロープ３４回りの隙間を四角形状のロープ防火壁３２により密閉封止し、当該ロープ防火壁３２の両側端に転倒して突出するよう設けた転倒レールガイド封止部材４５のレールガイド４４でレール５、５を面当てさせて密閉封止、それぞれの左右の防火戸により乗りかご３回りの不動部位と動作部位の隙間を完全に密閉封止するものである。
割り込み溝３１ａ，３１ａの回りは金属ブラシで対処させ、ゴム材と合成一体としたものである。
つり合いおもり４回りについて、第１９図により説明すると、当該起立転倒式の防火戸１８，１９は開閉自在で、自重により転倒する構造になつてをり９０°開閉可能で電磁石２８で起立させられた状態にあり、電磁石２８は枠９，１０にそれぞれ取付ブラケツトにより取り付けられている。
防火戸の解放時には電磁石２８のロツドに密着し起立、防火戸の閉鎖時に電磁石２８の起動によりロツドが引っ込む構造であるから、支えを無くした防火戸は自重により転倒、密閉封止するもので、起立転倒式の防火戸１８，１９それぞれ一端の左側右側には回転軸２６、２６が突設してあり、回転軸２６はこの回転軸に対称位置にある枠９，１０内に設けた軸受けに軸支され、したがつて、防火戸は、この回転軸２６を軸として、第１９図に示す現在位置から回転軸２６を軸として、現在位置から防火戸を９０回転させて、第５図に示すように防火戸１８、１９を閉鎖状態にし、第５図から解るように防火戸１９の先端中央部には施錠装置の一部である鍵部２７が突設して、当該鍵部２７は防火戸１９を閉鎖したときに左側の防火戸１８の先端中央部に鍵受部３３が設けてあり、当該防火戸１８が閉鎖したときに、鍵受部３３と嵌合可能にしている。
第１１図から解るように、両防火戸１８，１９先端の両側端の凸面にはレールガイド封止部材２０を設けて、両レール６，６に面当てさせて不動部位と動作部位の隙間を密閉封止し、防火戸取付枠１２と防火戸１８，１９により閉鎖、密閉封止させて、つり合いおもり４回りを完全に密閉封止させるものである。
火災が発生し、煙感知器４８が動作すると制御回路５０により乗りかご３を中間階に運転指令を休止させるためにスイツチ５１にカム５２を当接させるもの
に、本発明においては第２のスイツチ５４とカム５３の当接することにより、反転運転させたつり合いおもり４の運転休止により、電磁石２８を制御可能にし、運転休止した乗りかご３回りの防火戸のレベルを合わせることにより、電磁石２８を作動させ、防火戸で完全密閉封止後、電磁弁５９の制御を可能にするよう構成したものであり、上述のことを第２０図で説明すると、火災が発生し、煙感知器４８が動作すると、常開接点４８ａが閉じて、リレー４９が励磁し、常開接点４９ａが閉じ、制御回路５０が乗りかご３を中間階に運転休止させるためにスイツチ５１にカム５２をを当接させるものに、本発明は、
2004067383.tif 000003
の回路で構成、乗りかご３を中間階に運転休止させるためにスイツチ５１とカム５２を当接させるものに、第２のスイツチ５４とカム５３の当接することにより、常開接点５１ｂと常開接転５４ｂが閉じて、制御回路５０で乗りかご３を反転運転させ、スイツチ５４とカム５３の当接がはずれて、つり合いおもり４が運転休止し、この場合常閉接点５４ａは開くので防火戸制御回路５５は作動せず、運転休止した乗りかご３回りの防火戸のレベルをあわせるようし、常開接点５４ｂが開き、常閉接点５４ａが閉じて、常開接点５１ｂが閉じていて、したがつて、防火戸制御開路５５を制御可能にし、電磁石２８を作動させ、不動部位の枠上に収納し設けた防火戸４０，４１、４２、４３、及び、つり合いおもり４回りの防火戸１８，１９のそらぞらの防火戸により不動部位から動作部位の枠上に転倒、密閉封止し、また、動作部位の乗りかご３の枠上に収納し設けた防火戸３７，３８，３９のそれぞれの防火戸により、動作部位から不動部位の枠上に転倒、密閉封止してそれぞれの防火戸の転倒により、不動部位と動作部位の隙間を密閉封止させ、昇降路を完全に密閉封止を検出すると、防火戸制御回路５５が制御作動し、常開接点５５ａが閉じ、電磁弁５９を作動させて泡放射ノズル５７とパイプシャワー式ノズル５８から泡を噴出させ、昇降路内の各階出入口の隙間を、上方でドアーポケツトカバー６１とドアー６０の隙間、下方で敷居ドアー６０の隙間、及び両側端で三方枠とドアー６０で密閉封止させ、各階のドアー回りを煙密閉封止させるよう構成したものである。
転倒レールガイド封止部材４５のレールガイド４４の材質は、温度耐性ゴム材、シリコン、金属ブラシ、軽量形金属合成の厚板ゴム材とする。
【００１６】
【発明の効果】
以上述べたように、本発明によれば、煙感知器が作動すると、乗りかごを中間階に運転休止させ、第２のスイツチとカムが当接することにより、反転運転させたつり合いおもりが運転休止することにより電磁石を制御可能にし、乗りかご３回りの左右の防火戸のレベル合わせるようし、防火戸を開閉動作可能にし、後に、電磁石を作動させて起立転倒式の防火戸により不動部位の枠から動作部位の枠へと転倒、また、動作部位の枠上の防火戸により不動部位の枠上に転倒、動作部位と不動部位の隙間を密閉封止させ昇降路を完全に密閉封止を検出すると、防火戸制御回路を制御作動させ、電磁弁を制御可能にし、電磁弁を作動させて、泡の噴出により、各階の出入口の回りを泡で密閉封止するように構成したので、火災による煙は昇降路内に流入することなく、その結果、昇降路の煙突作用がなくなり、火災の延焼を防止することができる効果がある。
【図面の簡単な説明】
【図１】本発明になる昇降路正面図である。
【図２】本発明になる昇降路側面図である。
【図３】本発明になる昇降路内不動部位の防火戸取付枠の構造図である。
【図４】本発明になる昇降路内防火戸の開放状態の構造図である。
【図５】本発明になる第１図のＡ−Ａ′断面視図の昇降路内防火戸の閉鎖状態の構造図である。
【図６】本発明になる第４図のＢ−Ｂ′断面視図の乗りかご、つり合いおもりの昇降路内防火戸の開放状態の詳細構造図である。
【図７】本発明になるガバナーロープ用防火戸の詳細構造図である。
【図８】本発明になる乗りかごとロープ防火壁と枠の断面構造図である。
【図９】本発明になるロープ防火壁とロープ押さえ板と枠の要部説明図である。
【図１０】本発明になるロープソケツトの詳細説明図である
【図１１】本発明になるレールガイド封止部材のレールガイドの斜視図である。
【図１２】本発明になる転倒レールガイド封止部材の起立状態を示す図である。
【図１３】本発明になる枠上の防火戸と電磁石との詳細構造図である。
【図１４】本発明になる枠上の防火戸と電磁石との詳細構造図である。
【図１５】本発明になる防火戸と乗りかご回り枠と不動部位の枠の関連図である
【図１６】本発明になる転倒レールガイド封止部材の転倒状態を示す図である。
【図１７】本発明になる昇降路内の出入口に設けた泡消火装置の説明図である。
【図１８】本発明になる昇降路内の出入口に設けた泡消火装置の説明随である。
【図１９】本発明になる枠上の防火戸と電磁石との詳細説明図である。
【図２０】本発明になる昇降路煙密閉封止装置の電気回路図である。
【図２１】本発明になる乗りかご回り枠と防火戸取り合い詳細説明図である。
【符号の説明】
１、１８、１９、３７、３８、３９、４０、４１、４２、４３　　防火戸
２、１３、１４、１５、１６、６２　　　　　防火壁
３　　　乗りかご　　　　　　　　４　　　　つり合いおもり
５　　　レール　　　　　　　　　６　　　　レール
７、８、９、１０、１１，１２　　　　　　　防火戸取付枠
１７，２１、２２、４６、４７　　　　　　　防火戸取付枠
２０　　レールガイド封止部材　　２３　　　レールガイド
２４　　ロープ押さえ板　　　　　２５　　　取付ブラケツト
２６　　回転軸　　　　　　　　　２７　　　鍵部
２８　　電磁石　　　　　　　　　２９　　　ロープソケツト
３０　　半円穴　　　　　　　　　３１　　　ロープ穴
３１ａ　割り込み溝　　　　　　　３２　　　ロープ防火壁
３３　　鍵受部　　　　　　　　　３４　　　ロープ
３５　　ロープソケツト　　　　　３６　　　ガバナロープ
４４　　レールガイド　　　　　　４５　　　転倒レールガイド封止部材
４８　　煙感知器　　　　　　　　４９　　　リレー
５０　　制御回路　　　　　　　　５１　　　スイツチ
５１ａ　常閉接点　　　　　　　　５１ｂ　　常開接点
５２　　カム　　　　　　　　　　５３　　　カム
５４　　スイツチ　　　　　　　　５４ａ　　常閉接点
５５　　防火戸制御回路　　　　　５６　　　泡消火制御回路
５７　　泡放射ノズル　　　　　　５８　　　パイプシャワー式ノズル
５９　　電磁弁　　　　　　　　　６０　　　ドアー
６１　　ドアーポケツトカバー
【図１】
2004067383.tif 000004
【図２】
2004067383.tif 000005
【図３】
2004067383.tif 000006
【図４】
2004067383.tif 000007
【図５】
2004067383.tif 000008
【図６】
2004067383.tif 000009
【図７】
2004067383.tif 000010
【図８】
2004067383.tif 000011
【図９】
2004067383.tif 000012
【図１０】
2004067383.tif 000013
【図１１】
2004067383.tif 000014
【図１３】
2004067383.tif 000015
【図１４】
2004067383.tif 000016
【図１７】
2004067383.tif 000017
【図１８】
2004067383.tif 000018
【図１９】
2004067383.tif 000019
【図２０】
2004067383.tif 000020
【図１２】
2004067383.tif 000021
【図１５】
2004067383.tif 000022
【図１６】
2004067383.tif 000023
【図２１】
2004067383.tif 000024